(57)【要約】【課題】複数の電力供給源を有する携帯端末において使用される電源を表示可能な携帯端末を提供する。【解決手段】携帯端末のメイン制御部が実行する処理は、外部からの電源供給を認識するステップ（Ｓ５１０）と、ＡＣ電源による供給の場合に（Ｓ５２０にてＹＥＳ）、予め規定された条件に基づいて電池の動作条件を決定するステップ（Ｓ５４０）と、メイン表示部の表示態様を決定して状況を表示するステップ（Ｓ５６０）と、電源環境に変化がない場合に（Ｓ５８０にてＮＯ）、充電できなくなると（Ｓ５９０にてＹＥＳ）終了するステップとを含む。【選択図】図５
2013219952.tif 000002
【特許請求の範囲】
【請求項１】
携帯端末であって、
ディスプレイと、
プロセッサと、
前記携帯端末に電力を供給するための充電池と、
前記充電池以外の電源から電力の供給があると、前記電力の供給源を判断するための判断手段と、
前記電力の供給源を前記ディスプレイに表示させるための表示制御手段とを備える、携帯端末。
【請求項２】
前記携帯端末が外部の電源に接続されると、前記充電池の充放電を規定する動作設定に基づいて、前記充電池の動作を制御するための動作制御手段をさらに備える、請求項１に記載の携帯端末。
【請求項３】
前記判断手段は、
前記電力の供給源として、ＡＣ（Alternating  Current）電源、ＤＣ（Direct  Current）電源、または着脱可能な充電池のいずれかを示すスイッチと、
前記携帯端末が備える複数の充電池のうちのいずれが放電するかを規定する設定に基づいて、または、前記電力の供給源による供給条件に基づいて、前記電力の供給源を判断するための判断手段とのいずれかを含む、請求項１または２に記載の携帯端末。
【請求項４】
携帯端末における電力の供給を通知するための方法であって、
前記携帯端末の充電池以外の電源から電力の供給があると、前記電力の供給源を判断するステップと、
前記電力の供給源を前記携帯端末のディスプレイに表示させるステップとを含む、携帯端末における電力の供給を通知するための方法。
【請求項５】
携帯端末における電力の供給を通知するための方法を実行するためのプログラムであって、前記プログラムは、前記携帯端末のプロセッサに、
前記携帯端末の充電池から電力を供給するステップと、
前記充電池以外の電源から電力の供給があると、前記電力の供給源を判断するステップと、
前記電力の供給源を前記携帯端末のディスプレイに表示させるステップとを実行させる、プログラム。
【請求項６】
前記プログラムは、前記携帯端末のプロセッサに、前記携帯端末が外部の電源に接続されると、前記充電池の充放電を規定する動作設定に基づいて、前記充電池の動作を制御するステップをさらに実行させる、請求項５に記載のプログラム。
【請求項７】
前記判断するステップは、
前記電力の供給源として、ＡＣ電源または着脱可能な充電池のいずれかを示すスイッチの状態に基づいて前記供給源を判断することと、
前記携帯端末が備える複数の充電池のうちのいずれが放電するかを規定する設定に基づいて、または、前記電力の供給源による供給条件に基づいて、前記電力の供給源を判断することのいずれかを含む、請求項６に記載のプログラム。
【発明の詳細な説明】
【技術分野】
【０００１】
本発明は、携帯端末の制御に関し、より特定的には、複数の電力供給源を用いることができる携帯端末の制御に関する。
【背景技術】
【０００２】
携帯電話機、スマートフォンその他の携帯端末において、電池の残量は、携帯端末のディスプレイ上にアイコンや数値として表示される。この場合、たとえば、携帯端末が、充電可能な乾電池その他の外部電池に接続されていても、その電池の残量は、ＡＣ（Alternating  Current）電源によって供給された電源によるものか、当該外部電池によるものか分からない場合がある。
【０００３】
携帯端末への電源の供給に関し、たとえば、特開２０１１−２０５７２１号公報（特許文献１）は、「外部に接続された携帯端末への充電から内設された電池ユニットへの充電に切り変える回路システムを容易に構築することができる電池内蔵電源装置」を開示している（［要約］参照）。
【０００４】
特開２００２−０１０５０８号公報（特許文献２）は、「機器外部・内部に接続された電池の種類に合った充電特性を持つ充電回路で外部電池等を充電できる充電装置」を開示している（［要約］参照）。
【先行技術文献】
【特許文献】
【０００５】
【特許文献１】特開２０１１−２０５７２１号公報
【特許文献２】特開２００２−０１０５０８号公報
【発明の概要】
【発明が解決しようとする課題】
【０００６】
携帯端末の通信機能の進化により、大画面化、複数の通信方式（Ｗ−ＣＤＭＡ（Wideband  Code  Division  Multiple  Access）、ＣＤＭＡ２０００、Ｗｉ−Ｆｉ（登録商標）（Wireless  fidelity）、ＷｉＭＡＸ（登録商標）（Worldwide  Interoperability  for  Microwave  Access）、ＬＴＥ（Long  Term  Evolution）、通信衛星、Bluetooth（登録商標）、ＧＰＳ（Global  Positioning  System）等）を同時に使用するケースが増加し、消費電力が増大している。現在、電池残量が少なくなった場合、携帯端末のユーザは、電池の入れ替え、（充電池や乾電池を使用した）充電池の接続等を行うことによって、携帯端末を続けて使用している。電池の入れ替えについては、たとえば、法人向けの携帯端末では、予備の電源として、５分間といった短い時間、内蔵されたメインの電池を取り外しても、携帯端末の電源が切れないサブ電池が用いられている場合もある。
【０００７】
いずれの場合も、複数の電池を搭載・接続した際、携帯端末のユーザは、「メインとサブの電池のどちらを優先的に使用するのか」、あるいは、「各々の電池の残量表示」を知ることができない。現状では、充電池が接続されると「どの電池を使用する」などの制御も行われていない。したがって、複数の電源を使用可能な携帯端末において、メインとサブのいずれの電源を優先的に使用するのか、あるいは、各電池の残量の表示を、携帯端末のユーザに知らせることが必要とされている。また、充電池が接続された場合に、どの電池を使用するかの制御が求められている。
【０００８】
本発明は、上述のような問題点を解決するためになされたものであって、一実施の形態において、ある局面における目的は、複数の電源を使用可能な携帯端末において、メインとサブのいずれの電源を優先的に使用するのかを通知できる携帯端末を提供することである。他の局面における目的は、各電池の残量の表示を、携帯端末のユーザに知らせることができる携帯端末を提供することである。他の局面における目的は、充電池が接続された場合に、どの電池を使用するかを制御できる携帯端末を提供することである。
【０００９】
別の実施の形態において、ある局面における目的は、複数の電源を使用可能な携帯端末における電力の供給を通知するための方法を提供することである。他の局面における目的は、各電池の残量の表示を、携帯端末のユーザに知らせることができる方法を提供することである。
【００１０】
さらに他の実施の形態において、ある局面における目的は、複数の電源を使用可能な携帯端末において、メインとサブのいずれの電源を優先的に使用するのかを携帯端末に通知させるためのプログラムを提供することである。他の局面における目的は、各電池の残量を携帯端末に通知させるためのプログラムを提供することである。さらに他の局面における目的は、充電池が接続された場合に、どの電池を使用するかを制御するためのプログラムを提供することである。
【課題を解決するための手段】
【００１１】
一実施の形態に従う携帯端末は、ディスプレイと、プロセッサと、携帯端末に電力を供給するための充電池と、充電池以外の電源から電力の供給があると、電力の供給源を判断するための判断手段と、電力の供給源をディスプレイに表示させるための表示制御手段とを備える。
【００１２】
好ましくは、携帯端末は、携帯端末が外部の電源に接続されると、充電池の充放電を規定する動作設定に基づいて、充電池の動作を制御するための動作制御手段をさらに備える。
【００１３】
好ましくは、判断手段は、電力の供給源として、ＡＣ（Alternating  Current）電源、ＤＣ（Direct  Current）電源、または着脱可能な充電池のいずれかを示すスイッチと、携帯端末が備える複数の充電池のうちのいずれが放電するかを規定する設定に基づいて、または、電力の供給源による供給条件に基づいて、電力の供給源を判断するための判断手段とのいずれかを含む。
【００１４】
他の実施の形態に従うと、携帯端末における電力の供給を通知するための方法が提供される。この方法は、携帯端末の充電池以外の電源から電力の供給があると、電力の供給源を判断するステップと、電力の供給源を携帯端末のディスプレイに表示させるステップとを含む。
【００１５】
さらに他の実施の形態に従うと、携帯端末における電力の供給を通知するための方法を実行するためのプログラムが提供される。このプログラムは、携帯端末に、携帯端末の充電池から電力を供給するステップと、充電池以外の電源から電力の供給があると、電力の供給源を判断するステップと、電力の供給源を携帯端末のディスプレイに表示させるステップとを実行させる。
【００１６】
好ましくは、プログラムは、携帯端末のプロセッサに、携帯端末が外部の電源に接続されると、充電池の充放電を規定する動作設定に基づいて、充電池の動作を制御するステップをさらに実行させる。
【００１７】
好ましくは、判断するステップは、電力の供給源として、ＡＣ電源、ＤＣ電源、または着脱可能な充電池のいずれかを示すスイッチの状態に基づいて供給源を判断することと、携帯端末が備える複数の充電池のうちのいずれが放電するかを規定する設定に基づいて、または、電力の供給源による供給条件に基づいて、電力の供給源を判断することのいずれかを含む。
【００１８】
ある実施の形態において、複数の電源を使用可能な携帯端末は、メインとサブのいずれの電源を優先的に使用するのかを通知することができる。他の実施の形態において、携帯端末は、各電池の残量の表示を、携帯端末のユーザに知らせることができる。さらに他の実施の形態において、携帯端末は、充電池が接続された場合に、どの電池を使用するかを制御することができる。
【００１９】
この発明の上記および他の目的、特徴、局面および利点は、添付の図面と関連して理解されるこの発明に関する次の詳細な説明から明らかとなるであろう。
【図面の簡単な説明】
【００２０】
【図１】携帯端末１００のハードウェア構成を表わすブロック図である。
【図２】携帯端末１００の充電の態様を表わす図である。
【図３】少なくとも２つの充電池を有する携帯端末を表わす図である。
【図４】端末設定メモリ１２４におけるデータの格納の一態様を表わす図である。
【図５】メイン制御部１１０が実行する一連の処理の一部を表わすフローチャートである。
【図６】携帯端末１００が複数の充電池を内蔵している場合の表示態様を表す図である。
【図７】複数の充電池の残量を合計して、１つのアイコンまたは数値で表示する態様を表わす図である。
【図８】携帯端末１００における電池の優先順位を示す図である。
【図９】携帯端末１００において充電池が使用されているのかあるいは充電されているのかを示す態様を表わしている。
【図１０】メイン表示部１３０における画面の表示態様を表わす図である。
【発明を実施するための形態】
【００２１】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００２２】
［ハードウェア構成］
図１を参照して、本発明の実施の形態に係る携帯端末１００の構成について説明する。図１は、携帯端末１００のハードウェア構成を表わすブロック図である。ある局面において、携帯端末１００は、例示的には、携帯電話機、スマートフォン、タブレット型端末、ラップトップ型コンピュータその他の情報処理機能を備える端末であって、充電池を備える端末として実現されるが、例示される端末に限られない。
【００２３】
携帯端末１００は、無線通信部１０１と、通信制御部１０２と、有線通信部１０３と、キー操作部１０４と、メイン操作部１０５と、キー状態感知部１０６と、メイン制御部１１０と、センサ制御部１１１と、ＧＰＳ（Global  Positioning  System）制御部１１２と、カメラ制御部１１３と、ＳＩＭ（Subscriber  Identity  Module）カード制御部１１４と、電源制御部１１５と、音制御部１１６と、外部接続制御部１１７と、内蔵メモリ部１２０と、メイン表示部１３０と、サブ表示部１３１と、マイク１４０と、スピーカ１４１と、コネクタ１４２，１４３と、充電池１４４と、充電端子１５０とを備える。
【００２４】
内蔵メモリ部１２０は、プログラムメモリ１２１と、ユーザメモリ１２２と、アドレス帳１２３と、端末設定メモリ１２４とを含む。外部接続制御部１１７には、外部メモリ１２５が接続され得る。
【００２５】
無線通信部１０１は、移動通信事業者によって提供される無線通信回線によって他の情報表示端末と通信可能に構成される。他の局面において、携帯端末１００は、無線通信部１０１として、Ｗｉ−Ｆｉ（登録商標）（Wireless  Fidelity）の通信回路を含み得る。
【００２６】
通信制御部１０２は、無線通信部１０１または有線通信部１０３による通信を制御し、無線通信部１０１または有線通信部１０３から送られる信号をメイン制御部１１０に伝送する。また、通信制御部１０２は、メイン制御部１１０から送られる信号を、その通信の態様に応じて無線通信部１０１または有線通信部１０３に伝送する。
【００２７】
有線通信部１０３は、携帯端末１００と他の情報通信装置とのケーブルによる通信を実現する。なお、ある局面において、携帯端末１００は、有線通信部１０３を備えていなくてもよい。
【００２８】
キー操作部１０４は、携帯端末１００の筐体に設けられたハードスイッチとして構成される。キー操作部１０４は、たとえば、携帯端末１００のメインスイッチ等として機能する。
【００２９】
メイン操作部１０５は、メイン表示部１３０に表示されるソフトスイッチとして構成される。メイン操作部１０５は、携帯端末１００に対するタッチ操作を受け付けて、そのタッチ操作に応じた信号をメイン制御部１１０に送信する。メイン制御部１１０は、そのタッチ操作に基づいて予め規定された制御を実行する。
【００３０】
キー状態感知部１０６は、キー操作部１０４に対する操作を受け付けて、その操作に応じた信号をメイン制御部１１０に送信する。メイン制御部１１０は、その信号に基づいて、予め規定された制御を実行する。
【００３１】
メイン制御部１１０は、携帯端末１００に対して与えられる命令、または携帯端末１００の内部において予め規定された条件が成立することに基づいて、携帯端末１００に対して規定された動作を実行する。メイン制御部１１０は、ある局面において、ＣＰＵ（Central  Processing  Unit）その他のプロセッサを含む制御回路として実現される。
【００３２】
センサ制御部１１１は、携帯端末１００の姿勢を検知する加速度センサを含む。センサ制御部１１１は、検出結果をメイン制御部１１０に送信する。メイン制御部１１０は、その検出結果に基づいてたとえば、メイン表示部１３０に表示される画面の表示方向を切り換える。
【００３３】
ＧＰＳ制御部１１２は、位置情報を取得するための測位回路として構成される。ＧＰＳ制御部１１２は、ＧＰＳ衛星その他の衛星から発信される測位のための信号を受信し、その信号に基づいて携帯端末１００の位置を検出する。メイン制御部１１０は、その検出結果と、たとえばプログラムメモリ１２１に格納されている位置情報または携帯端末１００の外部から取得される位置情報とを参照して、携帯端末１００の位置を地図上に表示する。
【００３４】
カメラ制御部１１３は、ＣＣＤ（Charge  Coupled  Device）素子、ＣＭＯＳ（Complementary  Metal-Oxide  Semiconductor）素子を有する撮像装置として構成される。カメラ制御部１１３は、レンズ（図示しない）を通して撮像した画像の信号をメイン制御部１１０に送信する。メイン制御部１１０は、その信号に基づいて画像をメイン表示部１３０またはサブ表示部１３１に表示する。
【００３５】
ＳＩＭカード制御部１１４は、携帯端末１００が通信するために内部に挿入されるＳＩＭカードの情報を読み取り、メイン制御部１１０に伝送する。メイン制御部１１０は、ＳＩＭカードに保持されている情報が有効な情報であると判断すると、無線通信部１０１または有線通信部１０３を介した通信を実行する。
【００３６】
電源制御部１１５は、充電池１４４から供給される電力を制御する。たとえば、携帯端末１００に対する操作の入力が予め定められた時間行なわれていない場合には、電源制御部１１５は、メイン制御部１１０から送られるその状態を表わす信号に基づき、メイン表示部１３０またはサブ表示部１３１に対して供給される電力を小さくする。
【００３７】
音制御部１１６は、マイク１４０から出力される信号を変換し、変換後の信号をメイン制御部１１０に伝送する。他の局面において、音制御部１１６は、メイン制御部１１０から送られる信号を変換し、変換後の信号をスピーカ１４１に伝送する。スピーカ１４１は、その信号に基づいて音を出力する。
【００３８】
外部接続制御部１１７は、携帯端末１００の外部の機器との通信を制御する。ある局面において、外部接続制御部１１７は、外部メモリ１２５に格納されているデータを読み出し、あるいはメイン制御部１１０から送られるデータを外部メモリ１２５に格納する。他の局面において、外部接続制御部１１７は、コネクタ１４２またはコネクタ１４３に接続されている機器から送られる信号の入力を受け付け、その信号をメイン制御部１１０に伝送する。他の局面において、外部接続制御部１１７は、メイン制御部１１０から送られる信号を、ケーブルの接続の有無またはＵＳＢインターフェイス対応機器の接続の有無に応じて、コネクタ１４２またはコネクタ１４３に伝送する。
【００３９】
内蔵メモリ部１２０は、携帯端末１００の内部に予め構成されているメモリ装置として実現される。内蔵メモリ部１２０は、ある局面において、フラッシュメモリ、ＲＯＭ（Read  Only  Memory）その他の記憶装置として実現される。
【００４０】
プログラムメモリ１２１は、不揮発データ記憶領域として、携帯端末１００に予め定められた動作を実行するためのプログラムを格納している。プログラムメモリ１２１は、具体的な、アプリケーション、条件設定、履歴、位置情報その他のプログラムまたはデータを保持する。これらのプログラムまたはデータは、携帯端末１００の製造事業者によって準備され、プログラムメモリ１２１に書き込まれる。
【００４１】
当該プログラムは、たとえば、携帯端末１００に固有な処理を実行させるためのプログラムを含む。具体的には、ある局面において、当該プログラムは、携帯端末１００の充電池１４４，３４４から電力を供給するステップと、当該充電池以外の電源から電力の供給があると、電力の供給源を判断するステップと、電力の供給源を携帯端末１００のメイン表示部１３０に表示させるステップとを実行させる。
【００４２】
他の局面において、携帯端末１００が外部の電源に接続されると、当該プログラムは、携帯端末１００のメイン制御部１１０に、充電池１４４の充放電を規定する動作設定に基づいて、充電池１４４の動作を制御するステップをさらに実行させる。
【００４３】
好ましくは、上記の判断するステップは、電力の供給源として、ＡＣ電源、ＤＣ電源または着脱可能な充電池のいずれかを示すスイッチの状態に基づいて供給源を判断することと、携帯端末１００が備える複数の充電池１４４，３４４のうちのいずれが放電するかを規定する設定に基づいて、または、電力の供給源による供給条件に基づいて、電力の供給源を判断することのいずれかを含む。
【００４４】
ユーザメモリ１２２は、不揮発データ記憶領域として、携帯端末１００のユーザによって生成されるデータを格納する。格納されるデータは、たとえば、電子メールのデータ、カメラの撮影によって得られた画像データ等を含む。携帯端末１００がインターネットに接続してアクセスしたサイトのデータを受信すると、メイン制御部１１０は、そのデータをユーザメモリ１２２に保存する。このとき、メイン制御部１１０は、携帯端末１００に登録されている電話番号に関連付けられている氏名に関連する情報を当該サイトから受信すると、当該受信した日時と、当該電話番号と、当該情報とを関連付けて、ユーザメモリ１２２に保存する。
【００４５】
アドレス帳１２３は、携帯端末１００が通信可能な相手のアドレス帳を含む。アドレス帳は、ある局面において、携帯端末１００が通信したデータから項目を抽出することにより構成される。他の局面において、アドレス帳１２３は、携帯端末１００のユーザによって入力される。
【００４６】
端末設定メモリ１２４は、携帯端末１００に対してユーザが入力した設定データを含む。設定データは、後述するように、携帯端末１００が他の通信装置と通信した場合に携帯端末１００がどのような動作を実行するかを規定するデータを含む。
【００４７】
外部メモリ１２５は、ＳＤ（Secure  Digital）カードその他の着脱可能な不揮発性のデータ記憶媒体として実現される。
【００４８】
メイン表示部１３０は、液晶モニタ、有機ＥＬ（Electro  Luminescence）モニタその他の表示装置として実現される。
【００４９】
サブ表示部１３１は、携帯端末１００の背面に設けられる。サブ表示部１３１も、ある局面において、液晶モニタ、または有機ＥＬモニタとして実現される。なお、他の実施の形態において、携帯端末１００は、サブ表示部１３１を有さない構成であってもよい。
【００５０】
発光部１３２は、たとえば、ＬＥＤ（Light  Emitting  Diode）その他の発光素子を含む。発光部１３２は、メイン制御部１１０から送られる信号に基づいて予め設定された色で発光する。
【００５１】
マイク１４０は、携帯端末１００のユーザが無線通信部１０１を介して通話するために発話された音声の入力を受け付ける。
【００５２】
スピーカ１４１は、無線通信部１０１または有線通信部１０３によって通信された信号に基づく音声を出力する。他の局面において、スピーカ１４１は、ユーザメモリ１２２または外部メモリ１２５に格納されている音楽その他の音声データを出力し得る。
【００５３】
コネクタ１４２，１４３は、携帯端末１００と他の装置とを接続するためのケーブルの装着を受け付ける。たとえば、コネクタ１４２は、microＵＳＢ（Universal  Serial  Bus）インターフェイスとして実現される。コネクタ１４３は、ＨＤＭＩ（High-Definition  Multimedia  Interface）インターフェイスとして実現される。
【００５４】
充電端子１５０は、携帯端末１００を充電するための充電器、電池、充電池その他の電力の供給源の装着を可能にする。充電端子１５０に電力の供給源が装着されると、電源制御部１１５は、充電端子１５０から供給される電力を、充電池１４４に供給し、あるいは、携帯端末１００の各ハードウェアに供給する。電力の供給先は、電源制御部１１５の制御に応じて切り替えられる。供給先は、携帯端末１００の動作モードの一つとして設定される。
【００５５】
［技術思想］
本実施の形態に係る携帯端末１００において適用されている技術思想は、以下のとおりである。携帯端末１００は、外部より電力供給がある場合、その供給源がＡＣ電源であるのか、ＤＣ電源であるのか、それ以外（充電池の接続）による電源であるのかを判別するための構成と、メイン電池の設定のための構成と、どの電池が使用されているのかを表示するための構成とを備える。
【００５６】
メイン電池の設定は、たとえば、携帯端末１００が外部電源に接続されると、メイン電池の充電をどうするのか、たとえば、メイン電池を充電しながら携帯端末１００を作動させる場合、メイン電池を充電せず携帯端末１００を作動させる場合等を含むが、これに限られない。
【００５７】
（判別するための構成）
供給源を判別するための構成は、たとえば、携帯端末１００に外部電源を接続する際に、判別するための設定を、自動または手動で保持可能なスイッチとして実現される。手動で設定される内容は、たとえば、端末設定メモリ１２４に保存される。スイッチは、外部電源が何であるかを認識することができる回路を含み得る。
【００５８】
他の局面において、携帯端末１００のカバー形状の充電池を取り付ける場合、専用の突起部が当該充電池の筺体に設けられる。携帯端末１００において、当該突起部が携帯端末１００の筺体の凹部あるいは端子に適合するように構成される。携帯端末１００のメイン制御部１１０は、充電池の突起部が端子に適合した場合に、当該充電池が取り付けられたことを認識する。
【００５９】
他の局面において、携帯端末１００の内部に複数の充電池を収納できるスペースが予め設けられてもよい。この場合、メイン制御部１１０は、当該スペースに充電池が装着された場合に、電力の供給源を認識することができる。あるいは、携帯端末１００のユーザが、当該スペースに装着した充電池を優先的に用いるための設定をメイン操作部１０５を介して入力してもよい。この場合、その設定は、端末設定メモリ１２４に入力される。
【００６０】
さらに他の局面において、メイン制御部１１０は、電力を供給する際の条件（たとえば、電流値、電圧値、電源が接続されている端子、起動中のアプリケーション等）によって外部の電源を認識してもよい。
【００６１】
（メイン電池の設定）
メイン電池の設定は、たとえば、複数の電池が携帯端末１００に接続されている場合に、どの電池から使うのかを、手動または自動で決めることを含む。他の局面においては、メイン電池の設定として、複数の電池が接続されていると、どの電池に対して充電を行うのかを手動または自動で決めることができる。
【００６２】
充電池が携帯端末１００に接続されると、設定された電池（例、携帯端末内にある充電池１４４）が充電され、その他の電池（たとえば、外部に接続された充電池２１０）が携帯端末１００に電力を供給し、あるいは、設定された電池が充電される。複数の充電池が接続される場合には、充電または使用される充電池の優先順位が、自動または手動で設定され得る。
【００６３】
（どの電池が使用されているのかの表示）
ある局面において、複数の充電池が表示されると、メイン制御部１１０は、各々の電池の画像（アイコン）をメイン表示部１３０のアイコン表示領域に表示する。このアイコンの表示中、メイン制御部１１０は、各充電池の残量を表示する。
【００６４】
他の局面において、メイン表示部１３０は、アイコンの表示中に、各充電池がどの状況（たとえば、使用中、充電中、待機等）を、アイコン表示領域またはメインの表示領域に表示する。
【００６５】
他の局面において、携帯端末１００は、メイン表示部１３０ではなく、外部の充電池が接続される充電端子１５０の近傍に配置されるＬＥＤその他の発光部１３２に、充電の態様を表示する。この場合、携帯端末１００は、ＬＥＤの表示パターン（例、点灯時間、点滅の速度等）、ＬＥＤの色、または、表示パターンおよび色の組み合わせによって、充電池の状態（残量、充電中であるか使用中であるか）を表示する。
【００６６】
他の局面において、充電池２１０その他の携帯端末１００の外部に接続される充電池が、その動作の状態を表示してもよい。
【００６７】
なお、携帯端末１００は、充電値の残量として、接続されている全ての充電池の各残量の合計値を表示でき、あるいは、他の局面において、複数の充電池のうちの特定の電池の組み合わせについて、当該組み合わされた充電池の残量の合計値を表示してもよい。
【００６８】
［充電の態様］
図２を参照して、本実施の形態に係る携帯端末１００の充電について説明する。図２は、携帯端末１００の充電の態様を表わす図である。
【００６９】
図２の状態Ａに示されるように、携帯端末１００は、内蔵する充電池１４４によって供給される電力により駆動される。状態Ｂに示されるように、ある局面において、着脱可能な充電池２１０が携帯端末１００に装着されると、充電池２１０は、携帯端末１００に電力を供給する。充電池２１０から供給される電力は、充電池１４４の充電のために用いられ、あるいは、別の局面において、携帯端末１００を駆動するために用いられる。なお、充電池２１０は、接続部２２０を介して、携帯端末１００の充電端子１５０に接続される。あるいは、別の局面において、充電池２１０は、コネクタ１４２，１４３、外部接続制御部１１７その他の端子に接続されてもよい。
【００７０】
他の局面において、状態Ｃに示されるように、携帯端末１００は、ＡＣ電源から電力の供給を受ける。この場合、充電ケーブルの接続部２３０は、充電端子１５０に接続される。
【００７１】
図３を参照して、他の局面に従う携帯端末１００について説明する。図３は、少なくとも２つの充電池を有する携帯端末を表わす図である。
【００７２】
携帯端末１００は、充電池１４４に加えて、サブ充電池３４４を備える。サブ充電池３４４は、たとえば、充電池１４４が携帯端末１００から取り外されているときに電力を携帯端末１００のハードウェアに供給し、携帯端末１００の動作が継続することを可能にする。
【００７３】
ある局面において、サブ充電池３４４は、充電池１４４が携帯端末１００から取り外されたことに基づいて、あるいは、電源制御部１１５による制御に基づいて、携帯端末１００に電力を供給する。たとえば、充電池１４４が携帯端末１００から取り外されると、メイン制御部１１０は、充電池１４４からの電力の供給がなくなったことを検知し、サブ充電池３４４から電力を供給するための命令を、電源制御部１１５に対して送信する。電源制御部１１５は、電力の供給源を、充電池１４４からサブ充電池３４４に切り換えて、サブ充電池３４４から携帯端末１００のハードウェアに電力が供給されるように構成する。
【００７４】
［データ構造］
図４を参照して、本実施の形態に係る携帯端末１００のデータ構造について説明する。図４は、端末設定メモリ１２４におけるデータの格納の一態様を表わす図である。端末設定メモリ１２４は、テーブル４１０，４２０，４３０を格納している。
【００７５】
テーブル４１０は、充電端子１５０に接続される商用電源を用いて携帯端末１００の充電池を充電するときの優先順位を規定している。ある局面において、優先順位の高いものから低いものに、第１の内蔵電池（たとえば充電池１４４）、第２の内蔵電池（たとえばサブ充電池３４４）、ｍｉｃｒｏＵＳＢに接続される電池（図示しない）、充電端子１５０に接続される充電池２１０として規定されている。この優先順位は、携帯端末１００のユーザがメイン操作部１０５を操作することにより変更することができる。
【００７６】
テーブル４２０は、携帯端末１００が作動する場合に使用される電池の優先順位を規定している。ある局面において、当該優先順位は、充電端子１５０に接続される電池（図示しない）、ｍｉｃｒｏＵＳＢとして実現されるコネクタ１４２に接続される電池（図示しない）、第２の内蔵電池（たとえばサブ充電池３４４）、第１の内蔵電池（たとえば充電池１４４）の順に規定されている。この優先順位も、携帯端末１００のユーザがメイン操作部１０５を操作することにより変更することができる。
【００７７】
テーブル４３０は、携帯端末１００自身が内蔵する電池以外の電池が検出された場合における動作を規定している。ある局面において、第１の内蔵電池および第２の内蔵電池は、それぞれ充電されるように設定されている。microＵＳＢで構成されるコネクタ１４２に接続される電池は、電力を携帯端末１００に供給するために使用されるように設定されている。充電端子１５０に接続される電池は、電池の使用優先順位（テーブル４２０）の設定に従うように構成されている。
【００７８】
ある局面において、上記の４つの電池が接続されている携帯端末１００において、第１の内蔵電池（たとえば、充電池１４４）が充電されている場合、第２の内蔵電池（たとえば、サブ充電池３４４）、microＵＳＢで構成されるコネクタ１４２に接続される電池、および、充電端子１５０に接続される電池は、電池の充電優先順位を規定する表４１０および電池の使用優先順位を規定する表４２０における表示内容に従う。
【００７９】
たとえば、第１の内蔵電池（たとえば、充電池１４４）が充電中の場合、第２の内蔵電池（たとえば、サブ充電池３４４）の容量が満充電容量の８０％であっても、第２の内蔵電池は、充電も使用もされず、充電端子１５０に接続された充電池（たとえば充電池２１０）によって、携帯端末１００が駆動され、第１の内蔵電池が充電される。第１の内蔵電池が満充電になると、充電端子１５０に接続されている電池（たとえば、充電池２１０）によって第２の内蔵電池が充電される。
【００８０】
なお、テーブル４３０に規定される設定も、携帯端末１００のユーザがメイン操作部１０５を操作することにより変更可能である。設定の内容は、端末設定メモリ１２４に保持される。
【００８１】
［制御構造］
図５を参照して、本実施の形態に係る携帯端末１００の制御構造について説明する。図５は、メイン制御部１１０が実行する一連の処理の一部を表わすフローチャートである。
【００８２】
ステップＳ５１０にて、メイン制御部１１０は、入力する信号に基づいて、携帯端末１００の外部から電源の供給が行なわれていることを認識する。
【００８３】
ステップＳ５２０にて、メイン制御部１１０は、その電源供給がＡＣ電源による供給であるか否かを判断する。この判断は、たとえば、供給される電圧値の大きさ、外部の電源が装着されている端子の種類などに基づいて行われる。メイン制御部１１０は、その電源供給がＡＣ電源による供給であると判断すると（ステップＳ５２０にてＹＥＳ）、制御をステップＳ５３０に切り換える。そうでない場合には（ステップＳ５２０にてＮＯ）、メイン制御部１１０は、制御をステップＳ５４０に切り換える。
【００８４】
ステップＳ５３０にて、メイン制御部１１０は、端末設定メモリ１２４における設定に基づいて、ＡＣ電源から電力が供給された場合における動作を実行する。
【００８５】
ステップＳ５４０にて、メイン制御部１１０は、端末設定メモリ１２４を参照して、テーブル４１０，４２０，４３０において規定されている第１、第２および第３の各条件に基づいて、充電池１４４およびサブ充電池３４４の動作を決定する。
【００８６】
ステップＳ５５０にて、メイン制御部１１０は、メイン表示部１３０に電池の状況を表示するか否かを判断する。この判断は、端末設定メモリ１２４において規定されているユーザ設定に基づいて行なわれる。メイン制御部１１０は、メイン表示部１３０に電池の状況を表示すると判断すると（ステップＳ５５０にてＹＥＳ）、制御はステップＳ５６０に切り換える。そうでない場合には（ステップＳ５５０にてＮＯ）、メイン制御部１１０は、制御をステップＳ５６５に切り換える。
【００８７】
ステップＳ５６０にて、メイン制御部１１０は、メイン表示部１３０における画面の表示態様を決定し、その決定内容に応じて画面に画像を出力する。
【００８８】
ステップＳ５６５にて、メイン制御部１１０は、ＬＥＤその他の発光部１３２に対して、電池残量を通知するための表示または予め設定された条件に従った表示を実行させる。
【００８９】
ステップＳ５７０にて、メイン制御部１１０は、電源制御部１１５と通信することにより、外部電源（たとえば、充電池２１０その他の充電端子１５０に接続される外部充電池）および内部電源（たとえば充電池１４４またはサブ充電池３４４）の状態を確認する。
【００９０】
ステップＳ５８０にて、メイン制御部１１０は、入力される信号に基づいて、携帯端末１００の電源環境に変化があるか否かを判断する。ここで、電源環境の変化とは、たとえば、外部の充電池あるいは内蔵されている充電池が外されたか否か、携帯端末１００がＡＣ電源に接続されたか否かを含む。メイン制御部１１０は、電源環境に変化があると判断すると（ステップＳ５８０にてＹＥＳ）、制御をステップＳ５１０に戻す。そうでない場合には（ステップＳ５８０にてＮＯ）、メイン制御部１１０は、制御をステップＳ５９０に切り換える。
【００９１】
ステップＳ５９０にて、メイン制御部１１０は、電源制御部１１５からの信号に基づいて、充電される電池がなくなった、または充電できなくなったか否かを判断する。メイン制御部１１０は、充電される電池がなくなったまたは充電できなくなったと判断すると（ステップＳ５９０にてＹＥＳ）、制御は終了する。そうでない場合には（ステップＳ５９０にてＮＯ）、メイン制御部１１０は、制御をステップＳ５６０に戻す。
【００９２】
［表示態様］
図６から図１０を参照して、携帯端末１００における画面の表示態様について説明する。図６から図１０は、それぞれメイン表示部１３０における画面の表示態様を表わす図である。
【００９３】
図６は、携帯端末１００が複数の充電池を内蔵している場合の表示態様を表す図である。具体的には、携帯端末１００は、充電池毎にメイン表示部１３０に、充電池の状態を表すアイコンを表示し、各電池の充電の状態をアイコンの色または形で区別する。充電池の状態は、たとえば、当該充電池が使用されているか充電されているか、当該充電池の残量等を含む。
【００９４】
ある局面において、メイン表示部１３０は、アイコン６１０，６２０を表示する。アイコン６１０は、たとえば充電池１４４の充電状態を表わす。アイコン６２０は、サブ充電池３４４の充電状態を表わす。
【００９５】
なお、表示の態様は、電池単位に限られず、他の局面において、たとえば、一つの充電池を構成するセルの単位が表示の単位として用いられてもよい。この場合、表示の単位として、たとえば、２５％、５０％、７５％、１００％のような割合が用いられてもよい。
【００９６】
図７は、複数の充電池の残量を合計して、１つのアイコンまたは数値で表示する態様を表わす図である。ある局面において、メイン表示部１３０は、アイコン７１０を表示する。
【００９７】
アイコン７１０は、たとえば、充電池１４４の残量およびサブ充電池３４４の残量を合計し、充電池１４４の満充電容量およびサブ充電池３４４の満充電容量に対する比率に基づき１つのアイコンで残量を表示している。
【００９８】
図８は、携帯端末１００における電池の優先順位を示す図である。ある局面において、メイン表示部１３０は、アイコン８１０とアイコン８２０とを表示する。アイコン８１０は、たとえば、充電池１４４の充電容量を表わしている。アイコン８２０は、サブ充電池３４４の残量、または、携帯端末１００の外部に接続される着脱可能な充電池２１０の残量を表わしている。
【００９９】
ここで、アイコン８１０に示されるように、数字１に丸印が付されている。この表示は、充電池１４４が最初に使用されることを示している。これにより、携帯端末１００のユーザは、いずれの充電池から電力が供給されているかを容易に把握することができる。
【０１００】
図９は、携帯端末１００において充電池が使用されているのかあるいは充電されているのかを示す態様を表わしている。ある局面において、メイン表示部１３０は、アイコン９１０を表示している。アイコン９１０は、携帯端末１００の外部に接続される充電池２１０から内蔵されている充電池１４４に充電が行なわれていることを示している。
【０１０１】
図１０は、さらに他の局面における充電池の残量を表示する態様を表わす図である。他の局面において、携帯端末１００は、アイコン１０００を表示する。アイコン１０００は、充電池１４４の残量を示している。
【０１０２】
なお、充電池の状態の表示態様は、図６〜図１０に示されるものに限られない。たとえば、携帯端末１００が発光部１３２を有している場合には、当該発光部１３２による発光パターンによって充電池の状態を表示してもよい。表示の態様は、たとえば、点灯する時間、点滅する間隔、点灯する色等によって、個別的にまたはこれらの組み合わせ等を含み得る。
【０１０３】
以上のようにして、本実施の形態に従う携帯端末１００において、複数の充電池を接続する場合、特に外部接続する場合、携帯性が損なわれれる恐れがある。携帯端末１００のユーザにとっては、携帯性については、充電池が接続されていない携帯端末１００が、充電池が接続されている携帯端末１００を上回る。そのため、携帯端末１００がどの電池を使用し、あるいは、どの電池が充電されるのかを設定できることは、有効である。
【０１０４】
また、他の実施の形態に従う携帯端末１００が、複数の電池を内蔵している場合、電池残量のない電池を取り換えることができると、ユーザは、わざわざ電源のオフおよびオンを行なうことなく、携帯端末１００の起動を待つことなく、続けて携帯端末１００を使うことができる。
【０１０５】
他の実施の形態において、携帯端末１００が、複数の充電池を有する場合、携帯端末１００は、各充電池の残量を表示する能力を持つことで、ユーザは、各充電池の状態を容易に把握することができる。
【０１０６】
また、いわゆるスマートフォンのような情報処理機能に優れた携帯端末１００では、電力供給を受ける端子（ｍｉｃｒｏＵＳＢ）は、ＡＣ電源用および外部の電池用のいずれにも共通に用いられる。これにより、携帯端末１００のユーザは、端子に接続されている電力の供給源を認識することで、内蔵された充電池、あるいは、外部に接続される電池の動作条件（放電、充電）およびその優先順位を設定することができる。
【０１０７】
なお、外部に充電池が接続されているか否かの判断として、たとえば、携帯端末１００が複数の端子を有する場合に、当該複数の端子を用いてもよい。この場合、当該外部の充電池が複数の接続部を有する構成であるならば、各端子と各接続部とを適合させることにより、携帯端末１００は、その時の信号値を検出することにより、外部に充電池が接続されていることを認識することができる。
【０１０８】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０１０９】
１００  携帯端末、１０１  無線通信部、１０２  通信制御部、１０３  有線通信部、１０４  キー操作部、１０５  メイン操作部、１０６  キー状態感知部、１１０  メイン制御部、１１１  センサ制御部、１１２  制御部、１１３  カメラ制御部、１１４  カード制御部、１１５  電源制御部、１１６  音制御部、１１７  外部接続制御部、１２０  内蔵メモリ部、１２１  プログラムメモリ、１２２  ユーザメモリ、１２３  アドレス帳、１２４  端末設定メモリ、１２５  外部メモリ、１３０  メイン表示部、１３１  サブ表示部、１３２  発光部、１４０  マイク、１４１  スピーカ、１４２，１４３  コネクタ、１４４，２１０  充電池、１５０  充電端子、２２０，２３０  接続部、３４４  サブ充電池、４１０，４２０，４３０  テーブル、６１０，６２０，７１０，８１０，８２０，９１０，１０００  アイコン。
【図１】
2013219952.tif 000003
【図２】
2013219952.tif 000004
【図３】
2013219952.tif 000005
【図４】
2013219952.tif 000006
【図５】
2013219952.tif 000007
【図６】
2013219952.tif 000008
【図７】
2013219952.tif 000009
【図８】
2013219952.tif 000010
【図９】
2013219952.tif 000011
【図１０】
2013219952.tif 000012